(57)【要約】 【課題】  押入を見栄え良くかつ簡便にリフォームするのに適した収納扉家具ユニットの提供。【解決手段】  扉の縦方向寸法に延びた長尺の回転軸３に蝶番結合された２枚の扉１ａ，１ｂで構成される回転扉セット１は、各扉の裏面に収納棚５を夫々設けてなる。１又は複数の回転扉セット１，２を併設して取り付けるための取付枠体６には、各回転扉セット１，２の各回転軸３，４を扉の奥行きに沿って延びる蝶番取付座７を介して該取付枠体６の天枠６ａと地枠６ｂとの間にボルト締めにより取り付けるべく、該天枠と地枠の所定位置に該ボルトに螺合する雌ねじ８ａ，８ｂがそれぞれ埋め込まれている。取付枠体６を建物室内壁面の収納用開口部に取り付け、該取付枠体６に対して回転扉セット１，２の回転軸３，４をボルト締めすることで該回転扉セットを該取付枠体に取り付ける。【選択図】       図３
0003108059.tif 000002
【実用新案登録請求の範囲】
【請求項１】
扉の縦方向寸法に略適合して延びた長尺の回転軸に蝶番結合された２枚の扉で構成される回転扉セットであって、前記各扉の裏面に収納棚を設けてなるものと、
１又は複数の前記回転扉セットを併設して取り付けるための取付枠体であって、前記各回転扉セットの前記各回転軸を前記扉の奥行きに沿って延びる蝶番取付座を介して該取付枠体の天枠と地枠との間にボルト締めにより取り付けるべく、該天枠と地枠の所定位置に該ボルトに螺合する雌ねじがそれぞれ埋め込まれてなるものと
を具備し、前記取付枠体を建物室内壁面の収納用開口部に取り付け、該取付枠体に対して前記回転扉セットの前記回転軸をボルト締めすることで該回転扉セットを該取付枠体に取り付けるようにしてなる収納扉家具ユニット。
【請求項２】
前記建物室内壁面の前記収納用開口部とは、該建物室内に既設の押入開口であり、押入襖を取り外し、かつ、少なくともに前記扉の奥行き部分に抵触する押入棚の部分を除去した上で、前記収納扉家具ユニットを該押入開口に取り付けるようにすることで、押入リフォーム用収納扉家具ユニットとして機能させるようにしたことを特徴とする請求項１に記載の収納扉家具ユニット。
【請求項３】
前記取付枠体に取り付けられた前記回転扉セットの前記回転扉のサイズが前記建物室内壁面の前記収納用開口部のサイズに足りない場合に、前記回転扉の上下左右のいずれかに隣接して生じる空きスペースに対応する配置で前記取付枠体に取り付けられる空きスペース充当用の化粧板材を更に具備する請求項１又は２に記載の収納扉家具ユニット。
【考案の詳細な説明】
【技術分野】
【０００１】
本考案は、押入のリフォーム等に使用するのに適した収納扉家具ユニットに関する。
【背景技術】
【０００２】
従来より、不要になった押入を、布団以外の衣類や小物類の収納スペースにリフォームすることが行われている。しかし、従来の押入リフォームにおいては、襖を取り外したとしても、扉のない棚形式にするか、あるいは、扉の代わりにカーテンを引く等の工夫をしていたにすぎない。従って、見栄えのよい押入リフォームを簡便に行うことはできなかった。また、容易に収納性を高めることもできなかった。一方、下記特許文献１には、回転扉の裏面に複数の収納棚を具えた収納家具が示されている。しかし、この収納家具は、洋箪笥形式の独立した家具からなっており、押入のリフォームに使用するのには適していなかった。
【特許文献１】特許第３３０６４１６号
【考案の開示】
【考案が解決しようとする課題】
【０００３】
本考案は上述の点に鑑みてなされたもので、押入を見栄え良くかつ簡便にリフォームするのに適した収納扉家具ユニットを提供しようとするものであり、また、収納性を高めた収納扉家具ユニットを提供しようとするものであり、また、奥行きのとれないスペースにも十分な収納機能を提供しうる収納扉家具ユニットを提供しようとするものである。
【課題を解決するための手段】
【０００４】
本考案に係る収納扉家具ユニットは、扉の縦方向寸法に略適合して延びた長尺の回転軸に蝶番結合された２枚の扉で構成される回転扉セットであって、前記各扉の裏面に収納棚を設けてなるものと、１又は複数の前記回転扉セットを併設して取り付けるための取付枠体であって、前記各回転扉セットの前記各回転軸を前記扉の奥行きに沿って延びる蝶番取付座を介して該取付枠体の天枠と地枠との間にボルト締めにより取り付けるべく、該天枠と地枠の所定位置に該ボルトに螺合する雌ねじがそれぞれ埋め込まれてなるものとを具備し、前記取付枠体を建物室内壁面の収納用開口部に取り付け、該取付枠体に対して前記回転扉セットの前記回転軸をボルト締めすることで該回転扉セットを該取付枠体に取り付けるようにしてなるものである。
【０００５】
実施例において、前記建物室内壁面の前記収納用開口部とは、該建物室内に既設の押入開口であり、押入襖を取り外し、かつ、少なくともに前記扉の奥行き部分に抵触する押入棚の部分を除去した上で、前記収納扉家具ユニットを該押入開口に取り付けるようにすることで、押入リフォーム用収納扉家具ユニットとして機能させるようにしたことを特徴とする。
【考案の効果】
【０００６】
本考案によれば、回転扉セットの各扉の裏面に収納棚を設けてなるため、扉だけであっても衣類や小物等の収納スペースを十分に確保することができるものであり、収納性を高めた収納扉家具ユニットを提供することができる。また、回転扉セットと共に、１又は複数の該回転扉セットを併設して取り付けるため取付枠体を含み、該取付枠体の天枠と地枠の所定位置には、前記各回転扉セットの前記各回転軸を前記扉の奥行きに沿って延びる蝶番取付座を介して該取付枠体の天枠と地枠との間にボルト締めにより取り付けるべく、該ボルトに螺合する雌ねじがそれぞれ埋め込まれてなるようにしたので、前記取付枠体を建物室内壁面の収納用開口部に取り付け、該取付枠体に対して前記回転扉セットの前記回転軸をボルト締めすることで該回転扉セットを該取付枠体に取り付けることで、この収納扉家具ユニットを建物室内壁面の収納用開口部（例えば押入）に簡便に取り付けることができるようになるという優れた効果を奏する。従って、押入を見栄え良くかつ簡便にリフォームするのに適した収納扉家具ユニットを提供することができる。更に、洋要箪笥のような奥行きを要求しておらず、少なくとも収納棚を含む扉の奥行き寸法に略適合する奥行きを持つ個所に設置できるので、奥行きのとれないスペースにも十分な収納機能を提供しうる収納扉家具ユニットを提供することができる。
【考案を実施するための最良の形態】
【０００７】
以下、添付図面を参照して本考案の一実施例につき詳細に説明する。
図１は本考案に係る収納扉家具ユニットの一実施例の正面図、図２は該収納扉家具ユニットの平面図であり、該ユニットを押入開口部に設置することを想定して押入１０を点線で示している。また、図２では、取付枠体の天枠（上部枠）は図示の都合上除去して示している。
【０００８】
本実施例に係る収納扉家具ユニットは、扉１ａ，１ｂ（又は２ａ，２ｂ）の縦方向寸法に略適合して延びた長尺の回転軸３（又は４）に蝶番３ａ，３ｂ（図５）を介して結合された２枚の扉１ａ，１ｂ（又は２ａ，２ｂ）で構成される回転扉セット１（又は２）を２セット含む。１枚の扉１ａの寸法は、例えば横404mm、たて2300mm程度であり、これが横に４枚並ぶと、丁度、天袋付き押入の全開口寸法に略適合するようになっている。各扉１ａ，１ｂ，２ａ，２ｂの表面は任意の化粧板によって家具仕立てで仕上げられている。図３に示すように、各扉１ａ，１ｂ（又は２ａ，２ｂ）の裏面には、収納棚５が夫々設けられている。この収納棚５の奥行きは一例として190mm程度であり、棚段の数は任意であってよく、また、各棚段は固定であってもよいし、取外し可能であってもよい。回転扉セット１，２は、予めファクトリ・セット（工場で量産）される。なお、各扉１ａ，１ｂ（又は２ａ，２ｂ）の裏面に設ける収納棚５の横幅寸法は、回転軸３（又は４）の反対側の端部が、扉１ａ，１ｂ（又は２ａ，２ｂ）の端部よりも内側に来るように、該扉の横幅寸法よりも小さい。これは、扉１ａ，１ｂ（又は２ａ，２ｂ）を開いたときの収納棚５の回転半径を確保するためである。
【０００９】
この収納扉家具ユニットは、回転扉セット１，２のほかに、所定数（１又は複数、図示例では２）の該回転扉セット１，２を併設して取り付けるための取付枠体６を含む。この取付枠体６は、建物室内の収納用開口部（例えば押入開口部）に、回転扉セット１，２を簡便に取り付けるためのものであり、図４に示すように、天枠（上部枠）６ａ，地枠（下部枠）６ｂ，左右の側枠６ｃ，６ｄで構成される四角い枠である。取付枠体６は、回転扉セット１，２の収納棚５を含む扉１ａ〜２ｂの奥行き寸法に略適合する奥行きを持ち、回転扉セット１，２を安定して取り付けることができるようになっている。
【００１０】
回転扉セット１（又は２）における回転軸３（又は４）に対する２枚の扉１ａ，１ｂ（又は２ａ，２ｂ）の取り付け構造、及び該回転軸３（又は４）を介した回転扉セット１（又は２）の取付枠体６に対する取り付け構造について図５に示す軸金具部分の拡大図を参照して説明する。長尺の回転軸３（又は４）に複数の蝶番３ａ，３ｂとスリーブ３ｃが精密軸受３ｄを介して順次嵌め込まれていて、高耐久性を持って円滑な回転が保障されるようになっており、略全回転の可能な長尺蝶番を構成している。該長尺蝶番における一方の複数蝶番３ａは一方の扉１ａの収納棚５の側面にビス等で堅固に固定され、また、他方の複数蝶番３ｂは他方の扉１ｂの収納棚５の側面に堅固に固定される。これによって、回転扉セット１（又は２）における各扉１ａ，１ｂ（又は２ａ，２ｂ）は、回転軸３（又は４）の周りで自由に回転できる。なお、このような蝶番構造としては、上記特許第３３０６４１６号に示されたものを使用するとよく、そうすると、扉１ａ，１ｂ（又は２ａ，２ｂ）をフル回転させて任意に開くことができるので、非常に使い勝手がよい。該長尺蝶番の回転軸３（又は４）の上端と下端には、それぞれ蝶番取付座７が取り付けられる。蝶番取付座７は、回転扉セット１，２の収納棚５の奥行きに沿う長さを持ち、一端よりの孔７ａには回転軸３（又は４）の上端又は下端が挿入される。蝶番取付座７の残りの孔７ｂ，７ｃは、ボルト挿入用の孔である。一方、取付枠体６の天枠６ａと地枠６ｂにおける所定位置（回転扉セット１及び２の取り付け位置に対応する位置）には、図４に示すように、蝶番取付座７のボルト挿入孔７ｂ，７ｃに一致するように、該孔７ｂ，７ｃから挿入されるボルト（図示せず）に螺合する雌ねじ８ａ，８ｂがそれぞれ埋め込まれている。
【００１１】
この収納扉家具ユニットを押入リフォーム家具として使用する場合について、その取り付け手順につき一例を説明する。
まず、押入１０の襖を取り外し、押入１０の中棚や天袋又は地袋などを除去し、本収納扉家具ユニットを設置するのに必要な開口スペースを建物室内壁面（つまり押入開口部）に形成する。このとき、押入１０の内部は、収納空間として利用できるため、必要に応じて各種棚や衣類掛けなどを造作してよいのは勿論である。また、押入１０の中棚や天袋又は地袋などを全部除去するまでもなく、少なくとも、収納扉家具ユニットの奥行き（扉裏面の収納棚５）に相当するスペースが形成されるようにすればよい。
【００１２】
次に、図４に示すように、取付枠体６を押入１０の開口に設置し、押入１０の入り口の左右の柱に側枠６ｃ，６ｄを釘等で打ち付けて固定し、また押入１０入り口の上下の桟又は梁に天枠６ａ、地枠６ｂを釘等で打ち付けて固定する。取付枠体６も、取り付ける回転扉セット１，２に見合った仕様で、予めファクトリ・セット（工場で量産）される。従って、リフォームしようとする押入の個体差によって、取付枠体６の外寸と、押入入り口スペースの内寸とがピタリ合わないことが当然ある。そのため、押入入り口サイズが多少小さめであっても、押入入り口の柱や又は梁を削ることなく、設置できるようにするために、収納扉家具ユニットの外寸を幾分小さめにしておくとよい。勿論、これに限らず、収納扉家具ユニットの外寸を所定の標準的な押入入り口サイズとしてもよい。押入入り口スペースの内寸と取付枠体６の外寸との間に隙間がある場合、該隙間スペースに見合った寸法の充填木材（図示せず）を充填し、取付枠体６を該充填木材を介在させて押入１０の入り口の左右柱及び上下桟又は梁に釘等で打ち付け固定する。そのような場合、取付枠体６に取り付けられた回転扉セット１，２の扉１ａ〜２ｂの上部又は左右に隣接して空きスペースが生じることがあり、見栄えが悪くなる。そのような見栄えの悪さを解消するために、該空きスペースに対応する配置で取付枠体６の上部又は左右に空きスペース充当用の化粧板材（図示せず）を取り付けるようにするとよい。そのような空きスペース充当用の化粧板材は、扉１ａ〜２ｂの化粧板材と同様の材質からなるものが好ましいが、それに限らない。なお、取付枠体６は予めファクトリ・セット（工場で量産）とせずに、設置現場で作業者が加工成形してもよい。
【００１３】
取付枠体６を押入１０の開口に設置した後、各回転扉セット１及び２を該取付枠体６に取り付ける。この場合、各回転扉セット１及び２の回転軸３及び４の上端及び下端の各蝶番取付座７のボルト挿入用孔７ｂ，７ｃの位置を、取付枠体６の天枠６ａと地枠６ｂにおける雌ねじ８ａ，８ｂの埋め込み位置に合わせ、所定のボルト（図示せず）を該雌ねじ８ａ，８ｂに螺合することで該蝶番取付座７を締め付け固定する。こうして、回転扉セット１及び２の取り付け作業は極めて簡単に完了する。
【００１４】
上記例では、この収納扉家具ユニットを押入リフォーム家具として使用する場合について説明したが、建物壁内に作り付けるウォークインクロゼットや作り付け収納家具などの扉としても使用してよいのは勿論である。なお、併設する回転扉セット１及び２の数は２個に限らず、１個又は３個以上であってもよく、また、回転扉セットのサイズは１種類に限らず、複数種類用意しておき、顧客のニーズに容易に応えることができるようにするとよい。
なお、この収納扉家具ユニットの材質は、通常の家具と同様に木材及び化粧板並びに金属金物類（軸金具）からなるが、必要に応じて合成樹脂等の非木材を適宜部分的に用いてもよいのは勿論である。
【図面の簡単な説明】
【００１５】
【図１】本考案に係る収納扉家具ユニットの一実施例の正面図。
【図２】該収納扉家具ユニットの平面図。
【図３】該収納扉家具ユニットの扉を開いて、裏面に設けられた収納棚を見せた状態を示す斜視図。
【図４】該収納扉家具ユニットの取付枠体を示す斜視図。
【図５】該収納扉家具ユニットの軸金具の構成例を部分的に示す拡大図。
【符号の説明】
【００１６】
１，２  回転扉セット
１ａ，１ｂ，２ａ，２ｂ  扉
３，４  回転軸
３ａ，３ｂ  蝶番
３ｃ  スリーブ
３ｄ  精密軸受
５  収納棚
６  取付枠体
６ａ  天枠
６ｂ  地枠
６ｃ，６ｄ  側枠
７  蝶番取付座
７ｂ，７ｃ  ボルト挿入用孔
１０  押入
【図１】
0003108059.tif 000003
【図２】
0003108059.tif 000004
【図３】
0003108059.tif 000005
【図４】
0003108059.tif 000006
【図５】
0003108059.tif 000007
【手続補正書】
【提出日】平成16年10月5日(2004.10.5)
【手続補正１】
【補正対象書類名】図面
【補正対象項目名】図３
【補正方法】変更
【補正の内容】
【図３】
0003108059.tif 000008